(57)【要約】【課題】塗布針を用いて液体材料の塗布を安定して実施できる塗布部材、塗布装置および塗布方法を提供する。【解決手段】塗布部材は、処理対象材に液体材料を塗布するための塗布針２４ａと、外筒２４ｂと、第１駆動部８０と、第２駆動部とを備える。外筒２４ｂは、塗布針２４ａの外周を囲み、塗布針２４ａの先端に近い側に位置する第１端を含む。第１駆動部８０は、塗布針２４ａの延在方向である第１方向において、塗布針２４ａに対して外筒２４ｂを相対的に移動させる。第１駆動部８０は、塗布針２４ａの先端が外筒２４ｂの第１端より外筒２４ｂの内部に後退している第１状態と、塗布針２４ａの先端が第１状態より外筒２４ｂの第１端側に移動した第２状態とを切替えるように構成されている。【選択図】図４
2020015016.tif 000002
【特許請求の範囲】
【請求項１】
処理対象材に液体材料を塗布するための塗布針と、
前記塗布針の外周を囲み、前記塗布針の先端に近い側に位置する第１端を含む外筒と、
前記塗布針の延在方向である第１方向において、前記塗布針に対して前記外筒を相対的に移動させる第１駆動部と、
前記塗布針および前記外筒を前記第１方向に移動させる第２駆動部とを備え、
前記第１駆動部は、前記塗布針の前記先端が前記外筒の前記第１端より前記外筒の内部に後退している第１状態と、前記塗布針の前記先端が前記第１状態より前記外筒の前記第１端側に移動した第２状態とを切替えるように構成されている、塗布部材。
【請求項２】
前記外筒の前記第１端および前記第１端に連なる外周側面部分は、撥液処理層を含む、請求項１に記載の塗布部材。
【請求項３】
前記第１駆動部は、電磁ソレノイドを含む、請求項１または２に記載の塗布部材。
【請求項４】
請求項１に記載の塗布部材と、
前記塗布針により前記液体材料を塗布される処理対象材を保持する保持台とを備える、塗布装置。
【請求項５】
前記液体材料を保持する容器を備え、
前記塗布針の前記先端および前記外筒の前記第１端が前記容器を貫通して前記液体材料を前記処理対象材に塗布するよう構成された、請求項４に記載の塗布装置。
【請求項６】
前記液体材料を保持する容器を備え、
前記容器は、前記保持台に保持される前記処理対象材に面するように配置され、
前記第２駆動部は、前記塗布針の先端および前記外筒の前記第１端が前記容器の内部に位置する第３状態と、前記塗布針の先端および前記外筒の前記第１端が前記容器の外部に位置する第４状態とを切替えるように構成され、
前記第１駆動部は、前記第３状態において前記第１状態となり、前記第４状態において前記第２状態となるように、前記塗布針に対して前記外筒を相対的に移動させる、請求項４に記載の塗布装置。
【請求項７】
処理対象材に液体材料を塗布するための塗布針と、前記塗布針の外周を囲み、前記塗布針の先端に近い側に位置する第１端を含む外筒とを備える塗布部材を用いた塗布方法であって、
前記塗布針の前記先端が前記外筒の前記第１端より前記外筒の内部に後退している第１状態で、前記塗布針の前記先端と前記外筒の前記第１端との間に位置する前記外筒の内部領域に液体材料を保持する工程と、
前記塗布部材を前記第１状態から、前記塗布針の前記先端が前記第１状態より前記外筒の前記第１端側に移動した第２状態とすることにより、前記外筒の前記第１端より外側に前記液体材料の少なくとも一部を突出させる工程と、
前記第１端より外側に突出させた前記液体材料の少なくとも一部を前記処理対象材に接触させる工程とを備える、塗布方法。
【請求項８】
前記接触させる工程の後、前記塗布部材を前記第２状態から前記第１状態とするとともに前記外筒の前記内部領域に他の液体材料を再び保持する工程と、
前記塗布部材を前記第１状態から前記第２状態とすることにより、前記外筒の前記第１端より外側に前記他の液体材料の少なくとも一部を再び突出させる工程と、
前記第１端より外側に突出させた前記他の液体材料の少なくとも一部を前記処理対象材または前記接触させる工程により前記処理対象材に付着した前記液体材料に接触させる工程とを備える、請求項７に記載の塗布方法。
【発明の詳細な説明】
【技術分野】
【０００１】
この発明は、塗布部材、塗布装置および塗布方法に関し、より特定的には、塗布針を用いて処理対象材に液体材料を塗布するための塗布部材、塗布装置および塗布方法に関する。
【背景技術】
【０００２】
従来、機械装置の製造プロセスにおいて、微小な光学部品などを接着剤を用いて固定する工程が知られている。このような工程では、比較的粘度の高い接着剤を微小に塗布する要求が多くある。
【０００３】
接着剤の一般的な塗布方法としては、ディスペンサ方式、インクジェット方式などが挙げられる。しかし、ディスペンサ方式では、塗布後の直径がФ１００μｍ以下となるような接着剤の微小量の塗布は難しい。また、インクジェット方式では、粘度１００ｍＰａ・ｓ以上の接着剤の塗布は難しい。
【０００４】
上記のような高粘度の接着剤の微小量の塗布を実現する塗布方式の１つとして、特開２０１５−１１２５７６号公報に記載のような塗布針を用いて塗布する方式がある。特開２０１５−１１２５７６号公報では、塗布する液体を保持した容器を貫通するとともに、先端部が容器から出入りできるように移動可能に構成された塗布針を備えた塗布装置が開示されている。
【先行技術文献】
【特許文献】
【０００５】
【特許文献１】特開２０１５−１１２５７６号公報
【発明の概要】
【発明が解決しようとする課題】
【０００６】
ここで、上記特開２０１５−１１２５７６号公報に開示された塗布針を備える塗布装置を用いて、たとえば２液性接着剤を処理対象材に塗布する場合、塗布針を含む塗布部材を２台用いて、それぞれの接着剤を塗布することになる。具体的には、一方の塗布部材を用いて１液目の接着剤を塗布し、塗布された１液目の接着剤上に他方の塗布部材を用いて２液目の接着剤を塗布する。
【０００７】
この時、他方の塗布部材における塗布針の先端に付着した２液目の接着剤を全て１液目の接着剤の上に滴下できる訳ではない。すなわち、他方の塗布部材における塗布針先端に１液目の接着剤と接触混合した２液目の接着剤が残存する。そして、他方の塗布部材の塗布針先端において１液目の接着剤と混合した２液目の接着剤が硬化すると、塗布針先端が硬化した接着剤により太くなる。この結果、他方の塗布部材の塗布針先端に付着する２液目の接着剤の量が増え、結果的に２液目の接着剤の塗布量が徐々に多くなる。さらに、塗布針の先端が太くなり過ぎると、塗布する液体である２液目の接着剤を保持した容器に当該塗布針を収納できなくなる。このように、従来の塗布装置では、塗布針の先端に塗布する液体が残存することにより液体の塗布を安定して行えなくなる場合があった。
【０００８】
この発明は、上記のような課題を解決するためになされたものであり、本発明の目的は塗布針を用いて液体材料の塗布を安定して実施できる塗布部材、塗布装置および塗布方法を提供することである。
【課題を解決するための手段】
【０００９】
本開示に従った塗布部材は、処理対象材に液体材料を塗布するための塗布針と、外筒と、第１駆動部と、第２駆動部とを備える。外筒は、塗布針の外周を囲み、塗布針の先端に近い側に位置する第１端を含む。第１駆動部は、塗布針の延在方向である第１方向において、塗布針に対して外筒を相対的に移動させる。第２駆動部は、塗布針および外筒を第１方向に移動させる。第１駆動部は、塗布針の先端が外筒の第１端より外筒の内部に後退している第１状態と、塗布針の先端が第１状態より外筒の第１端側に移動した第２状態とを切替えるように構成されている。
【００１０】
本開示に従った塗布装置は、上記塗布部材と、保持台とを備える。保持台は、塗布針により液体材料を塗布される処理対象材を保持する。
【００１１】
本開示に従った塗布方法は、処理対象材に液体材料を塗布するための塗布針と、当該塗布針の外周を囲み、塗布針の先端に近い側に位置する第１端を含む外筒とを備える塗布部材を用いた塗布方法である。当該塗布方法では、
前記塗布針の前記先端が前記外筒の前記第１端より前記外筒の内部に後退している上記塗布部材を第１状態とし、塗布針の先端と外筒の第１端との間に位置する外筒の内部領域に液体材料を保持する工程を実施する。また、上記塗布方法では、塗布部材を第１状態から第２状態とすることにより、外筒の第１端より外側に液体材料の少なくとも一部を突出させる工程を実施する。また、上記塗布方法では、第１端より外側に突出させた液体材料の少なくとも一部を処理対象材に接触させる工程を実施する。
【発明の効果】
【００１２】
上記によれば、外筒を塗布針に対して相対的に移動させることで塗布針および外筒の先端部に液体材料が突出した液滴を形成できるので、塗布針を用いて液体材料の塗布を安定して実施できる。
【図面の簡単な説明】
【００１３】
【図１】本実施形態に従った塗布装置の模式図である。
【図２】図１に示した塗布装置の塗布部材を示す模式図である。
【図３】図１に示した塗布装置の塗布部材を示す模式図である。
【図４】図３に示した塗布装置の塗布針ホルダの構成を説明するための模式図である。
【図５】図２および図３に示した塗布部材における塗布針ホルダの動作を説明するための模式図である。
【図６】図５における領域ＶＩの拡大模式図である。
【図７】図２および図３に示した塗布部材における塗布針ホルダの動作を説明するための模式図である。
【図８】図７における領域ＶＩＩＩの拡大模式図である。
【図９】比較例としての塗布方法を説明するための模式図である。
【図１０】本実施形態に従った塗布方法を説明するための模式図である。
【図１１】本実施形態に従った塗布方法のフローチャートである。
【図１２】本実施形態に従った塗布方法の変形例のフローチャートである。
【図１３】本実施形態に従った塗布部材および塗布針ホルダの第１の変形例を説明するための模式図である。
【図１４】本実施形態に従った塗布部材および塗布針ホルダの第２の変形例を説明するための模式図である。
【図１５】本実施形態に従った塗布部材および塗布針ホルダの第２の変形例を説明するための模式図である。
【図１６】本実施形態に従った塗布部材および塗布針ホルダの第３の変形例を説明するための模式図である。
【図１７】本実施形態に従った塗布部材および塗布針ホルダの第３の変形例を説明するための模式図である。
【発明を実施するための形態】
【００１４】
以下、図面に基づいて本発明の実施の形態を説明する。なお、以下の図面において同一または相当する部分には同一の参照番号を付しその説明は繰返さない。
【００１５】
＜塗布装置の全体構成＞
図１は、本実施形態に従った塗布装置の模式図である。図１に示す本発明の実施形態である塗布装置は、処理室と、当該処理室の内部に配置されたＹ軸テーブル２と、Ｘ軸テーブル１と、Ｚ軸テーブル３と、塗布機構と、観察光学系６と、当該観察光学系６に接続されたＣＣＤカメラ７と、制御部とを主に備えている。制御部は、モニタ９と、制御用コンピュータ１０と、操作パネル８とを含む。塗布機構は複数の塗布部材４を含む。図1に示した塗布装置では、２つの塗布部材４が設置されている。塗布部材４は塗布針ホルダを含む。塗布針ホルダは塗布針部２４（図４参照）を含む。塗布針部２４は塗布針２４ａ（図４参照）と塗布針外筒２４ｂ（図４参照、なお以下では外筒２４ｂと呼ぶ）とを有する。当該塗布針部２４の詳細な構成は後述する。
【００１６】
処理室の内部においては、当該処理室の底部上にＹ軸テーブル２が設置されている。このＹ軸テーブル２は、Ｙ軸方向に移動可能になっている。具体的には、Ｙ軸テーブル２の下面にガイド部が設置されている。当該ガイド部は、処理室の底面に設置されたガイドレールに摺動可能に接続されている。また、Ｙ軸テーブル２の下面にはボールねじが接続されている。当該ボールねじをモータなどの駆動部材により動作させることにより、Ｙ軸テーブル２はガイドレールに沿って（Ｙ軸方向に）移動可能になっている。また、Ｙ軸テーブル２の上部表面上は、基板などの処理対象材５を搭載する搭載面となっている。
【００１７】
Ｙ軸テーブル２上には、Ｘ軸テーブル１が設置されている。Ｘ軸テーブル１は、Ｙ軸テーブル２をＸ軸方向に跨ぐように設置された構造体上に配置されている。Ｘ軸テーブル１には、Ｚ軸テーブル３が接続された移動体がＸ軸方向に移動可能に設置されている。移動体は、たとえばボールねじを用いてＸ軸方向に移動可能となっている。なお、Ｘ軸テーブル１は上記構造体を介して処理室の底面に固定されている。そのため、上述したＹ軸テーブル２は、Ｘ軸テーブル１に対してＹ軸方向に移動可能になっている。
【００１８】
Ｘ軸テーブル１に接続された移動体には、上述のようにＺ軸テーブル３が設置されている。Ｚ軸テーブル３には、観察光学系６および塗布部材４が接続されている。観察光学系６は塗布対象の処理対象材５の塗布位置を観察するためのものである。ＣＣＤカメラは、観察した画像を電気信号に変換する。Ｚ軸テーブル３は、これらの観察光学系６および塗布部材４をＺ軸方向に移動可能に保持している。
【００１９】
これらのＹ軸テーブル２、Ｘ軸テーブル１、Ｚ軸テーブル３、観察光学系６および塗布部材４を制御するための制御用コンピュータ１０および操作パネル８、さらに制御用コンピュータに付随するモニタ９は、処理室の外部に設置されている。モニタ９は、上述したＣＣＤカメラ７で変換された画像データや、制御用コンピュータ１０からの出力データを表示する。操作パネル８は、制御用コンピュータ１０への指令を入力するために用いられる。
【００２０】
＜塗布部材および塗布針ホルダの構成＞
図２および図３は、図１に示した塗布装置の塗布部材４を示す模式図である。図４は、図３に示した塗布装置における塗布針ホルダの構成を説明するための模式図である。上述した塗布部材４に関して、図２および図３を参照してより詳しく説明する。なお、図１に示した塗布装置に設置された２つの塗布部材４は同様の構成を備える。
【００２１】
図１に示したＺ軸テーブル３に固定された塗布部材４は、塗布針部２４を含む塗布針ホルダ２０を含む。塗布針ホルダ２０の塗布針部２４は上述したように塗布針２４ａと外筒２４ｂとを含む。外筒２４ｂは、塗布針２４ａの外周を囲む円筒形状の部材である。外筒２４ｂは第１駆動部８０により塗布針２４ａに対して相対的に移動可能になっている。また、塗布部材４は、塗布針ホルダ２０を塗布針２４ａの延在方向に移動させる第２駆動部４０と、塗布する材料である液体材料を保持する容器２１とをさらに含む。なお、塗布針ホルダ２０は第２駆動部４０に対して着脱自在に接続されている。塗布針ホルダ２０を第２駆動部４０に接続する構造は任意の構造を採用できる。
【００２２】
塗布針ホルダ２０は、図４に示すように塗布針部２４と、塗布針支持板２０ｃと、第１駆動部８０と、ホルダ外殻２０ａとを主に含む。ホルダ外殻２０ａの内部に第１駆動部８０と塗布針支持板２０ｃとが配置されている。塗布針部２４はその一部がホルダ外殻２０ａの下部より外側に突出した状態で配置されている。
【００２３】
ホルダ外殻２０ａの内部において、塗布針２４ａの根元部は塗布針支持板２０ｃの先端部に固定されている。なお、塗布針２４ａの根元部とは、塗布針２４ａにおいてホルダ外殻２０ａの内部に位置し、塗布針支持板２０ｃに面する端部である。塗布針２４ａの先端とは、上記塗布針２４ａの根元部と反対側の端部である。外筒２４ｂの根元部は可動板２０ｆに固定されている。なお、外筒２４ｂの根元部とは、外筒２４ｂにおいてホルダ外殻２０ａの内部に位置し、可動板２０ｆに面する端部である。また、異なる観点から言えば、外筒２４ｂの根元部とは、塗布針２４ａの上記根元部を囲む外筒２４ｂの部分である。可動板２０ｆには外筒２４ｂが固定された部分に塗布針２４ａを挿通させるための穴が形成されている。塗布針２４ａは可動板２０ｆの当該穴を介して外筒２４ｂの内部に配置されている。第１駆動部８０は、上記可動板２０ｆと、電磁ソレノイド２０ｄと、可動軸２０ｅと、バネ２０ｇとを含む。可動板２０ｆは、可動軸２０ｅの一端が固定された第１部分と、バネ２０ｇの一端が固定された第２部分とを含む。バネ２０ｇは、可動板２０ｆに固定された一端と反対側の他端が塗布針支持板２０ｃに固定されている。バネ２０ｇは、可動板２０ｆを塗布針２４ａの先端側に付勢する。なお、バネ２０ｇの他端はホルダ外殻２０ａの内壁に固定されていてもよい。
【００２４】
可動軸２０ｅは電磁ソレノイド２０ｄにより移動可能になっている。電磁ソレノイド２０ｄは塗布針ホルダ側電極２０ｂに電気的に接続されている。塗布針ホルダ側電極２０ｂは、塗布針ホルダ２０が固定される可動部４６の可動部側電極４６ａに接続される。当該可動部側電極４６ａおよび塗布針ホルダ側電極２０ｂを介して、電磁ソレノイド２０ｄには塗布部材４の外部から電力が供給される。
【００２５】
図４に示すように、塗布針ホルダ２０では、可動板２０ｆにおいて外筒２４ｂ側の第１面と反対側の第２面にバネ２０ｇおよび電磁ソレノイド２０ｄが接続されている。より詳しく言えば、電磁ソレノイド２０ｄは可動軸２０ｅを介して可動板２０ｆの第２面に接続されている。バネ２０ｇ、可動軸２０ｅおよび電磁ソレノイド２０ｄは可動板２０ｆから見て外筒２４ｂと反対側に配置されている。また、塗布針２４ａは外筒２４ｂの内部に配置されている。塗布針２４ａおよび外筒２４ｂにおいて上記根元部と反対側の端部である先端は、可動板２０ｆから見て上記バネ２０ｇおよび電磁ソレノイド２０ｄと反対側に位置する。バネ２０ｇと電磁ソレノイド２０ｄとは、塗布針支持板２０ｃを挟むように配置されている。塗布針２４ａの延在方向に沿うように、バネ２０ｇと電磁ソレノイド２０ｄとの中心軸が配置されている。なお、バネ２０ｇの中心軸とはコイルバネであるバネ２０ｇを構成する線材が巻回されている巻回中心を意味する。電磁ソレノイド２０ｄの中心軸とは、電磁ソレノイド２０ｄを構成する導電線が巻回されている巻回中心を意味する。
【００２６】
可動軸２０ｅおよび可動板２０ｆを介して、電磁ソレノイド２０ｄにより外筒２４ｂは移動可能である。たとえば、電磁ソレノイド２０ｄが動作して可動軸２０ｅを上方（塗布針２４ａの根元部と反対側の端部である先端部側から離れる方向）へ移動させることで、外筒２４ｂは塗布針２４ａの根元部側へ、つまり塗布針支持板２０ｃに近づく方向に当該塗布針２４ａに対して相対的に移動する。また、電磁ソレノイド２０ｄの動作が停止すると、バネ２０ｇの付勢力により可動板２０ｆおよび外筒２４ｂは塗布針２４ａの先端部側へ、つまり塗布針支持板２０ｃから離れる方向に塗布針２４ａに対して相対的に移動する。
【００２７】
第２駆動部４０については任意の構成を採用できる。たとえば、図２および図３に示すように第２駆動部４０は、サーボモータ４１と、カム４３と、軸受４４と、カム連結板４５と、可動部４６とを含む。サーボモータ４１は、たとえば図１に示したＺ軸方向に沿った方向に回転軸が延びるように設置されている。サーボモータ４１の回転軸にはカム４３が接続されている。カム４３は、サーボモータ４１の回転軸を中心として回転可能になっている。
【００２８】
カム４３は、サーボモータ４１の回転軸に接続された中心部と、当該中心部の一方端部に接続されたフランジ部とを含む。フランジ部の上部表面（サーボモータ４１側の表面）はカム面となっている。このカム面は、中心部の外周に沿って円環状に形成されている。また、図２および図３に示すように、カム面はフランジ部の底面からの距離が変動するようにスロープ状に形成されている。たとえば、カム面はフランジ部の底面からの距離が最も大きくなっている上端フラット領域と、この上端フラット領域から間隔を隔てて配置され、フランジ部の底面からの距離が最も小さい下端フラット領域と、上端フラット領域と下端フラット領域との間を接続するスロープ部とを含む。
【００２９】
このカム４３のカム面に接するように軸受４４が配置されている。軸受４４は、図２および図３に示すようにカム４３から見て特定の方向（サーボモータ４１の右側）に配置されている。軸受４４は、サーボモータ４１の回転軸が回転することでカム４３が回転したとき、カム面に接触した状態を保つ。この軸受４４にカム連結板４５が接続されている。カム連結板４５において、軸受４４と接続された一方端部と反対側の他方端部は可動部４６に固定されている。可動部４６には塗布針ホルダ収納部が接続されている。この塗布針ホルダ収納部に上述した塗布針ホルダ２０が収納されている。たとえば、塗布針ホルダ２０において塗布針ホルダ収納部に面する表面に磁石などの第１接続部材が配置されていてもよい。また、塗布針ホルダ収納部側にも磁石または磁性体など、上述した塗布針ホルダ２０側の第１接続部材を固定できる第２接続部材が配置されていてもよい。
【００３０】
塗布針ホルダ２０下には容器２１が配置されている。容器２１に塗布針部２４は挿入された状態で保持されている。
【００３１】
可動部４６には固定ピンが設置されている。また、サーボモータ４１を保持している架台には他方の固定ピンが設置されている。これら２つの固定ピンの間を繋ぐようにバネが設置されている。このバネにより、可動部４６は容器２１側に向けた引張り力を受けた状態になっている。また、このバネによる引張り力は、可動部４６およびカム連結板４５を介して軸受４４に作用する。このバネ５０の引張り力によって、軸受４４はカム４３のカム面に押圧された状態を維持している。
【００３２】
また、可動部４６および塗布針ホルダ収納部は、上記架台に設置されたリニアガイドに接続されている。リニアガイドは、Ｚ軸方向に延びるように配置されている。そのため、可動部４６および塗布針ホルダ収納部はＺ軸方向に沿って移動可能になっている。
【００３３】
＜塗布部材の動作＞
上述した塗布部材４においては、サーボモータ４１を駆動することにより当該サーボモータ４１の回転軸を回転させてカム４３を回転させる。この結果、カム４３のカム面は、Ｚ軸方向における高さが変化するため、図２および図３に示すように、カム４３の右側においてカム面に接触している軸受４４のＺ軸方向における位置もサーボモータ４１の駆動軸の回転に応じて変動する。そして、この軸受４４のＺ軸方向での位置変動に応じて、可動部４６および塗布針ホルダ収納部４８がＺ軸方向に移動する。この結果、塗布針ホルダ収納部４８に保持されている塗布針ホルダ２０もＺ軸方向に移動する。このようにして、当該塗布針ホルダ２０に設置されている塗布針部２４のＺ軸方向における位置を変化させることができる。なお、図２では塗布針部２４がＺ軸方向において相対的に上側に変位した状態を示し、図３では塗布針部２４がＺ軸方向において相対的に下側に変位した状態を示す。
【００３４】
＜塗布針ホルダの動作＞
図５および図７は、図２および図３に示した塗布部材における塗布針ホルダ２０の動作を説明するための模式図である。図６は、図５における領域ＶＩの拡大模式図である。図８は、図７における領域ＶＩＩＩの拡大模式図である。図５および図６は塗布待機状態を示し、図７および図８は塗布状態を示している。
【００３５】
図５および図６に示すように、塗布待機状態では、外筒２４ｂは塗布針２４ａに対して相対的に下降した状態で待機している。電磁ソレノイド２０ｄの下端と可動板２０ｆとの間の距離は距離Ｌ１となっている。この時、塗布針２４ａの先端は外筒２４ｂの奥に収納された状態となっている。外筒２４ｂの先端と塗布針２４ａの先端との間であって外筒２４ｂの内部に、液体材料７０の一部が保持された状態になっている。
【００３６】
図７および図８に示す塗布状態では、外筒２４ｂが電磁ソレノイド２０ｄの動作により塗布針２４ａに対して相対的に上昇した状態となる。磁ソレノイド２０ｄの下端と可動板２０ｆとの間の距離は、図５に示した距離Ｌ１より小さい距離Ｌ２となっている。この時、塗布待機状態において外筒２４ｂの先端側の内部に保持されていた液体材料７０の一部が押し出され、塗布針２４ａ先端に溜まる。この溜まった液体材料を処理対象材の表面に塗布する。このような塗布待機状態と塗布状態とを繰り返し実施する。
【００３７】
たとえば、上記のように液体材料を処理対象材に塗布した後、塗布針２４ａ先端が液体材料の容器２１内に収納される。その後、電磁ソレノイド２０ｄの動作により外筒２４ｂを塗布針２４ａに対して相対的に下降させる。この結果、図５および図６に示すように、塗布針２４ａの先端が外筒２４ｂの内部に収納され、当該外筒２４ｂの先端側の内部に液体材料７０の一部が再度保持される。なお、あらかじめ外筒２４ｂを電磁ソレノイド２０ｄの動作により塗布針２４ａに対して相対的に下降させた状態で、つまり外筒２４ｂの先端側の内部に空間を形成した状態で、塗布針２４ａ先端を液体材料の容器２１内部に収納してもよい。この場合も、塗布針２４ａの先端が収納された外筒２４ｂの先端側の内部に液体材料７０の一部が流入する。
【００３８】
なお、液体材料７０の粘度が高くなると、上記のように外筒２４ｂの先端側の内部に予め空間が形成された状態で外筒２４ｂの先端部が容器２１の内部に収納しても、当該外筒２４ｂの先端側の内部に液体材料７０が流入し難くなる場合がある。このため、塗布針２４ａ先端を液体材料の容器２１内に収納してから、外筒２４ｂを塗布針２４ａに対して相対的に下降させる方法を採用することが好ましい。この場合、外筒２４ｂを塗布針２４ａに対して相対的に下降させる動作により、外筒２４ｂの先端側の内部空間に液体材料７０を吸引する効果をえることができ、当該内部空間に液体材料７０を効率的に流入させることができる。
【００３９】
外筒２４ｂを上下させるアクチュエータとしては、上述した電磁ソレノイド２０ｄに限らず、任意の機構を採用できる。たとえば、外筒２４ｂを塗布針２４ａに対して相対的に移動させるアクチュエータとして、エアシリンダ、電動シリンダ等の任意のアクチュエータ、またはカム機構やクランク機構等の往復動機構を利用してもよい。なお、当該アクチュエータとして電磁ソレノイド２０ｄを利用すると、塗布針ホルダ２０の小型化、軽量化や外筒２４ｂの動作時間の短縮化といった効果が得られる。
【００４０】
＜塗布方法の概念＞
図９は、比較例としての塗布方法を説明するための模式図である。図１０は、本実施形態に従った塗布方法を説明するための模式図である。図９に示す比較例としての塗布方法と対比しながら、図１０に示す本実施形態に従った塗布方法を説明する。なお、図９および図１０は、ともに処理対象材５の表面に先に塗布されている液体材料７５に他の液体材料を塗布する場合を示している。
【００４１】
図９に示す比較例としての塗布針方式では、先端部の幅が徐々に狭くなり、フラットな先端面を有する塗布針１２４を用いる。まず図９（Ａ）に示すように、塗布針１２４のフラットな先端面に付着する液体材料７０の量は、ほぼ液体材料７０の粘度で決まる。そのため、当該先端面に付着する液体材料７０の量を任意に制御することは困難であった。一般に、塗布針１２４の先端面に付着する液体材料７０の量は微量である。このような塗布針１２４を用いて、図９（Ｂ）に示すように、処理対象材５の表面に先に塗布されている液体材料７５に重ねて液体材料７０を塗布する。この場合、図９（Ｃ）に示すように、先に塗布されていた液体材料７５と塗布針１２４の先端に付着していた液体材料７０とが混合した混合液体材料７７が、塗布針１２４の先端側にも付着する。上述した液体材料７０、７５が２液性の接着剤である場合、塗布針１２４の先端で当該接着剤が固まってしまい、その後の塗布に悪影響を及ぼす。また、上記液体材料７０、７５が２液性の接着剤では無い場合でも、塗布針１２４先端に付着した液体材料７０が、先に塗布されていた液体材料７５で汚染されてしまうと、塗布針１２４が収容される塗布材料の容器に保持されている液体材料７０も汚染される。
【００４２】
一方、図１０に示した本実施形態に従った塗布方法では、まず図１０（Ａ）に示すように塗布針２４ａに対して外筒２４ｂが相対的に下降した状態で、外筒２４ｂの第１端２６と塗布針２４ａの先端２５との間の空間に液体材料の一部７０ａが保持された状態となっている。その後、外筒２４ｂを塗布針２４ａに対して相対的に上昇させる。この結果、図１０（Ｂ）に示すように外筒２４ｂの第１端２６より内側の空間から当該第１端２６より外側に液体材料７０ａ（図１０（Ａ）参照）が押し出され、液滴７１となる。塗布針２４ａの先端２５は外筒２４ｂの第１端２６と同一面上に位置してもよい。あるいは、塗布針２４ａの先端２５は外筒２４ｂの第１端２６より内側に配置されていてもよいし、当該第１端２６より外側に配置されてもよい。このように液滴７１となるべき液体材料７０ａが外筒２４ｂの内部に保持されていたため、液滴７１の体積は図９に示した比較例における塗布針１２４の先端に付着する液体材料７０の体積より大きくなる。
【００４３】
次に、図１０（Ｃ）に示すように、塗布針２４ａおよび外筒２４ｂを処理対象材５に相対的に近づける。ここでは、塗布部材４の構成から塗布針２４ａおよび外筒２４ｂを処理対象材５に向けて矢印に示す方向に移動させている。なお、処理対象材５を塗布針２４ａおよび外筒２４ｂに向けて移動させてもよい。この結果、塗布針２４ａおよび外筒２４ｂの先端側に保持されている液滴７１が処理対象材５の表面の液体材料７５に接触する。このとき、液滴７１の下端を処理対象材５の表面の液体材料７５に接触させる。この結果、液滴７１の大部分を処理対象材５側へ移動させ、液体材料７５と液滴７１を構成する液体材料とが混合した液体材料７２が処理対象材５の表面上に配置される。一方、処理対象材５側から塗布針２４ａの先端２５側に、液滴７１と液体材料７５とが混合した液体材料７２が這い上がることを抑制できる。このため、塗布工程後において、塗布針２４ａの先端２５に残存する液体材料７１ａが、先に処理対象材５に塗布されていた液体材料７５により汚染される可能性は低い。この結果、安定した塗布が可能となる。なお、上記のような塗布工程後、図１０（Ｄ）に示すように、塗布針２４ａおよび外筒２４ｂを処理対象材５側から矢印の方向に移動させる。上記のような塗布方法において、先に処理対象材５に塗布されていた液体材料７５を２液性接着剤の１液目の材料とし、後から塗布される液体材料の液滴７１を２液性接着剤の２液目の材料としてもよい。なお、処理対象材５としては、平板、曲面状の表面を有する固体状の部材であってもよいが、液体やゲル状の部材であってもよく、液体材料７５を配置できる表面を有する対象物であればよい。
【００４４】
図１０に示した本実施形態に係る塗布方法により、２液性接着剤の１液目の上に２液目を塗布する場合でも、塗布針２４ａの先端２５が１液目による汚染される可能性を低減できる。この結果、安定した塗布が可能となる。
【００４５】
＜塗布方法の具体例＞
上述した本実施形態に係る塗布装置を用いた塗布方法の具体例を説明する。図１１は、本実施形態に従った塗布方法のフローチャートである。図１１および適宜図５〜図１０を用いて、本実施形態に従った塗布方法を説明する。
【００４６】
図１１に示すように、本実施形態に係る塗布方法では、まず塗布プロセスを開始する（Ｓ１０）。具体的には、たとえば制御用コンピュータ１０により塗布装置の各機器の制御が開始される。このとき、たとえば塗布部材４が処理対象材５と対向する位置に配置されるように、Ｘ軸テーブル１、Ｙ軸テーブル２、Ｚ軸テーブル３などが制御される。また、図５および図６に示すように、このとき塗布針ホルダ２０の塗布針２４ａの先端２５は外筒２４ｂの内部に位置する。また、外筒２４ｂの先端部は容器２１の内部に配置された状態となっている。外筒２４ｂの先端側の内部には液体材料７０ａが配置されている。
【００４７】
次に、塗布針ホルダの下降を開始する（Ｓ２０）。具体的には、塗布針ホルダ２０が第２駆動部４０により容器２１側に移動する。この結果、外筒２４ｂおよび塗布針２４ａがともに容器２１の底面から突出した状態となる。このとき、塗布針２４ａの先端２５は図１０（Ａ）に示すように外筒２４ｂの第１端２６より後退した状態となっている。外筒２４ｂの第１端２６と塗布針２４ａの先端２５との間には液体材料７０ａが保持されている。
【００４８】
その後、塗布針ホルダの下降を停止する（Ｓ３０）。この結果、先端部の内側に液体材料７０ａを保持した外筒２４ｂが、図１０（Ａ）に示すように処理対象材５の表面と間隔を隔てて配置された状態となる。
【００４９】
次に、外筒２４ｂを上昇させる（Ｓ４０）。具体的には、図７および図８で説明したように、電磁ソレノイド２０ｄを駆動して外筒２４ｂを当該外筒２４ｂの根元側に引き上げる。この結果、図１０（Ｂ）に示すように、塗布針２４ａの先端２５が外筒２４ｂの第１端２６側に相対的に移動し、外筒２４ｂの第１端２６より下側に液滴７１が形成される。
【００５０】
次に、塗布針ホルダの下降を再度開始する（Ｓ５０）。この結果、液滴７１を保持した塗布針２４ａが処理対象材５に近づく。そして、液滴７１が処理対象材５の表面に接することで、当該液滴７１の少なくとも一部が処理対象材５の表面上に付着する。このようにして、液体材料が処理対象材５の表面に塗布される塗布工程（Ｓ６０）が実施される。なお、塗布工程（Ｓ６０）を実施するため、塗布針２４ａの先端２５または外筒２４ｂの第１端２６のうち処理対象材５に近い一方と処理対象材５の表面との間の距離は、ゼロを越え液滴７１の直径未満となっていることが好ましい。この場合、塗布針２４ａまたは外筒２４ｂが処理対象材５に直接接触することなく、液体材料を下降対象材５５の表面に塗布できる。上記液滴７１の直径は、液滴７１を構成する液体材料の粘性などを考慮して決定できる。また、当該直径は外筒２４ｂの内部に塗布針２４ａの先端２５が後退する距離を変更することで調整できる。
【００５１】
次に、上記塗布工程（Ｓ６０）が実施された後、塗布針ホルダの上昇を開始する（Ｓ７０）。この時、図１０（Ｄ）に示すように外筒２４ｂの第１端２６と塗布針２４ａの先端２５とはほぼ同じ位置となっている。
【００５２】
次に、外筒２４ｂの先端が容器２１の内部配置した時点で、塗布針ホルダの上昇を停止する（Ｓ８０）。この時、外筒２４ｂの第１端２６の位置は、容器２１の内部において塗布針２４ａに対して相対的に下降した場合にも、容器２１の外部に当該第１端２６が露出しないように、容器２１内に保持された液体材料７０の内部に侵入した状態とすることが好ましい。
【００５３】
その後、外筒２４ｂを塗布針２４ａに対して相対的に下降させる（Ｓ９０）。この結果、図５および図６に示すように、外筒２４ｂの第１端２６より塗布針２４ａの先端２５が後退した状態となる。このとき、外筒２４ｂの第１端２６側における内部に容器２１内部の液体材料７０の一部が配置される。上記のようなプロセスを実施した後、塗布プロセスは終了する（Ｓ１００）。液体材料７０の塗布を繰り返す場合、上記の各工程（Ｓ１０）〜（Ｓ１００）を繰り返す。
【００５４】
＜塗布方法の変形例＞
図１２は、本実施形態に従った塗布方法の変形例のフローチャートである。図１２および適宜図５〜図１１を用いて、本実施形態に従った塗布方法の変形例を説明する。
【００５５】
図１２に示した塗布方法においては、図１１に示した塗布方法と同様に工程（Ｓ１０）〜（Ｓ３０）を実施する。その後、図１２に示すように塗布針ホルダ２０を低速で下降させながら外筒２４ｂを上昇させる（Ｓ１４０）。この工程（Ｓ１４０）では、塗布針ホルダ２０が第２駆動部４０により容器２１側に移動する。また、この工程（Ｓ１４０）における塗布針ホルダ２０の下降速度は、工程（Ｓ２０）〜（Ｓ３０）における塗布針ホルダ２０の下降速度より低くなっている。また、同時に外筒２４ｂが塗布針２４ａに対して相対的に上昇する。具体的には、図１１の工程（Ｓ４０）と同様に、図７および図８で説明した電磁ソレノイド２０ｄを駆動して、外筒２４ｂを当該外筒２４ｂの根元側に引き上げる。なお、この工程（Ｓ１４０）において、塗布針ホルダ２０の下降開始のタイミングと、外筒２４ｂの上昇開始のタイミングは同じでもよいし、塗布針ホルダ２０の下降開始のタイミングより、外筒２４ｂの上昇開始のタイミングが後でも先でもよい。
【００５６】
次に、塗布針ホルダ２０が下降している途中で、外筒２４ｂの塗布針２４ａに対する相対的な上昇が完了する（Ｓ１５０）。この結果、図１１の工程（Ｓ４０）と同じく、図１０（Ｂ）に示すように、塗布針２４ａの先端２５が外筒２４ｂの第１端２６側に相対的に移動し、外筒２４ｂの第１端２６より下側に液滴７１が形成される。
【００５７】
上記のように液滴７１が形成された状態で、塗布針ホルダ２０の下降が継続すると、液滴７１を保持した塗布針２４ａが処理対象材５に近づく。そして、液滴７１が処理対象材５の表面に接することで、当該液滴７１の少なくとも一部が処理対象材５の表面上に付着する。このようにして、液体材料が処理対象材５の表面に塗布される塗布工程（Ｓ６０）が実施される。この塗布工程（Ｓ６０）および工程（Ｓ７０）〜（Ｓ１００）は、図１１に示した工程（Ｓ６０）〜（Ｓ１００）と基本的に同様である。
【００５８】
＜作用効果＞
本開示に従った塗布部材４は、処理対象材に液体を塗布するための塗布針２４ａと、外筒２４ｂと、第１駆動部８０と、第２駆動部４０とを備える。外筒２４ｂは、塗布針２４ａの外周を囲み、塗布針２４ａの先端に近い側に位置する第１端２６を含む。第１駆動部８０は、塗布針２４ａの延在方向である第１方向において、塗布針２４ａに対して外筒２４ｂを相対的に移動させる。第２駆動部４０は、塗布針２４ａおよび外筒２４ｂを第１方向に移動させる。第１駆動部８０は、塗布針２４ａの先端２５が外筒２４ｂの第１端２６より外筒２４ｂの内部に後退している第１状態（図６、図１０（Ａ）参照）と、塗布針２４ａの先端２５が第１状態より外筒２４ｂの第１端２６側に移動した第２状態（図８、図１０（Ｂ）、図１０（Ｃ）、図１０（Ｄ）参照）とを切替えるように構成されている。
【００５９】
また、異なる観点から言えば、本開示に従った塗布針ホルダ２０は、処理対象材に液体を塗布するための塗布針２４ａと、外筒２４ｂと、第１駆動部８０とを備える。外筒２４ｂは、塗布針２４ａの外周を囲み、塗布針２４ａの先端２５に近い側に位置する第１端２６を含む。第１駆動部８０は、塗布針２４ａの延在方向である第１方向において、塗布針２４ａに対して外筒２４ｂを相対的に移動させる。第１駆動部８０は、塗布針２４ａの先端２５が外筒２４ｂの第１端２６より外筒２４ｂの内部に後退している第１状態と、塗布針２４ａの先端２５が第１状態より外筒２４ｂの第１端２６側に移動した第２状態とを切替えるように構成されている。
【００６０】
上述したように、本開示に従った塗布部材４および塗布針ホルダ２０では、塗布針２４ａに外筒２４ｂを設けている。また、塗布材料容器である容器２１内では、塗布針２４ａの先端２５を外筒２４ｂの先端である第１端２６より奥側に収納した第１状態とし、外筒２４ｂ内において塗布針２４ａの先端２５より前側の部分に、塗布する液体材料７０ａを溜めることができる。一方、塗布する時は、容器２１から塗布針部２４を突出させた状態で、塗布する前に、外筒２４ｂを電磁ソレノイド２０ｄにより引き上げることで第２状態とし、溜めておいた液体材料を７０ａ押し出す。異なる観点から言えば、外筒２４ｂを塗布針ホルダ２０の塗布針支持板２０ｃに近づく方向に相対的に後退させた第２状態では、塗布針２４ａの先端２５に一定量の液体材料７０ａが付着した状態となっている。この結果、塗布針２４ａの先端２５に球状の液滴７１として液体材料を保持した状態で、処理対象材５の塗布対象面に当該液滴７１の下端を接触させて塗布する。これにより、２液性接着剤を塗布する場合でも、２液性接着剤における２液目の接着剤の塗布時に、１液目の接着剤と接触した２液目の接着剤が塗布針２４ａの先端２５に残り辛くなる。このため、塗布針方式で２液性接着剤などの液体材料を安定して塗布することが可能となる。
【００６１】
上記塗布部材４および上記塗布針ホルダ２０において、第１駆動部８０は、電磁ソレノイド２０ｄを含む。電磁ソレノイド２０ｄを用いることで、塗布部材４および塗布針ホルダ２０の小型化、軽量化を図ることができる。また、他の機械式のアクチュエータを用いる場合と比較して、外筒２４ｂの上昇、下降といった動作速度を大きくし、外筒２４ｂの移動に要する時間を短縮できる。
【００６２】
本開示に従った塗布装置は、上記塗布部材４または塗布針ホルダ２０と、保持台としてのＹ軸テーブル２とを備える。保持台としてのＹ軸テーブル２は、塗布針２４ａにより液体材料７０を塗布される処理対象材５を保持する。このようにすれば、安定して液体材料７０の塗布が可能な塗布部材４または塗布針ホルダ２０を用いることで、処理対象材５に対する２液性接着剤などの液体材料の塗布針２４ａによる塗布を安定的に行うことができる。
【００６３】
上記塗布装置は、液体材料７０を保持する容器２１を備える。また、異なる観点から言えば、上記塗布装置は、塗布針ホルダ２０に加えて、液体材料７０を保持する容器２１と、第２駆動部４０とを備える。第２駆動部４０は、塗布針２４ａおよび外筒２４ｂを第１方向に移動させる。容器２１は、保持台としてのＹ軸テーブル２に保持される処理対象材５に面するように配置されている。塗布部材４の第２駆動部４０は、塗布針２４ａの先端２５および外筒２４ｂの第１端２６が容器２１の内部に位置する第３状態(図２、図５、図６参照）と、塗布針２４ａの先端２５および外筒２４ｂの第１端２６が容器２１の外部に位置する第４状態（図３、図４、図７、図８参照）とを切替えるように構成されている。第１駆動部８０は、図６に示す通り第３状態において第１状態となり、図８に示す通り第４状態において第２状態となるように、塗布針２４ａに対して外筒２４ｂを相対的に移動させる。つまり、上記塗布装置は、塗布針２４ａの先端２５および外筒２４ｂの第１端２６が容器２１を貫通して液体材料を処理対象材５に塗布するよう構成されている。
【００６４】
この場合、容器２１の内部において、図１０（Ａ）に示すように外筒２４ｂの第１端２６側の内部に液体材料７０ａを保持することができる一方、塗布時には図１０（Ｂ）、図１０（Ｃ）に示すように外筒２４ｂの第１端２６より外側に液体材料からなる液滴７１を形成し、当該液滴７１を処理対象材５の表面に接触させることができる。この結果、２液性接着剤などの液体材料を安定して塗布できる。
【００６５】
本開示に従った塗布方法は、処理対象材５に液体材料を塗布するための塗布針２４ａと、当該塗布針２４ａの外周を囲み、塗布針２４ａの先端２５に近い側に位置する第１端２６を含む外筒２４ｂとを備える塗布部材４を用いた塗布方法である。当該塗布方法では、上記塗布針２４ａの先端２５が外筒２４ｂの第１端２６より外筒２４ｂの内部に後退している第１状態で、塗布針２４ａの先端２５と外筒２４ｂの第１端２６との間に位置する外筒２４ｂの内部領域に液体材料７０ａを保持する工程（図１１および図１２の工程（Ｓ９０））を実施する。また、上記塗布方法では、塗布部材４を第１状態から、塗布針２４ａの先端２５が第１状態より外筒２４ｂの第１端２６側に移動した第２状態とすることにより、外筒２４ｂの第１端２６より外側に液体材料の少なくとも一部７１を突出させる工程（図１１の工程（Ｓ４０）または図１２の工程（Ｓ１４０）および工程（Ｓ１５０））を実施する。また、上記塗布方法では、第１端２６より外側に突出させた液体材料の少なくとも一部７１（図１０（Ｂ）参照）を処理対象材５に接触させる工程（図１１および図１２の工程（Ｓ６０））を実施する。このようにすれば、塗布針方式で２液性接着剤などの液体材料を安定して塗布することが可能となる。
【００６６】
また、上記塗布方法では、上述した塗布装置４を用いて複数回塗布工程を繰返してもよい。すなわち、上記塗布方法では、上記接触させる工程（図１１および図１２の工程（Ｓ６０））の後、塗布部材４を第２状態から第１状態とするとともに外筒２４ｂの内部領域に他の液体材料を再び保持する工程を実施する。上記塗布方法では、塗布部材４を第１状態から第２状態とすることにより、外筒２４ｂの第１端２６より外側に他の液体材料の少なくとも一部を再び突出させる工程を実施する。また、上記塗布方法では、第１端２６より外側に突出させた他の液体材料の少なくとも一部を処理対象材５または上記接触させる工程（図１１および図１２の工程（Ｓ６０））により処理対象材５に付着した液体材料に接触させる工程を実施する。
【００６７】
＜第１の変形例の構成および作用効果＞
図１３は、本実施形態に従った塗布部材および塗布針ホルダの第１の変形例を説明するための模式図である。
【００６８】
図１３に示した塗布部材および塗布針ホルダの第１の変形例は、基本的には図１〜図１０に示した塗布部材４および塗布針ホルダ２０と同様の構成を備えるが、外筒２４ｂの第１端２６および当該第１端２６に連なる側面の部分の構成が、図１〜図１０に示した塗布部材および塗布針ホルダ２０と異なっている。すなわち、図１３に示した外筒２４ｂでは、第１端２６および第１端２６に連なる外周側面部分２７に撥液処理部２４ｃが形成されている。撥液処理部２４ｃとは、たとえば撥液処理剤を塗布した領域である。撥液処理剤としては、たとえばフッ素系処理剤などを用いることができる。
【００６９】
このように、撥液処理部２４ｃを形成することにより、図１０（Ｂ）に示すように塗布針２４ａの先端２５に液体材料からなる液滴７１を形成する場合、当該液滴７１が外筒２４ｂの外周側面部分２７や第１端２６に液体材料が残留し、形成される液滴７１のサイズが小さくなる、あるいは液滴７１の形状が球形からずれたいびつな形状になる、といった問題の発生を抑制できる。このため、塗布時に液体材料を塗布針２４ａの先端２５から処理対象材５へ安定して塗布できるので、塗布針２４ａに塗布工程の後で汚染された液体材料が付着する可能性を低減できる。
【００７０】
＜第２の変形例の構成および作用効果＞
図１４および図１５は、本実施形態に従った塗布部材および塗布針ホルダの第２の変形例を説明するための模式図である。なお、図１４は塗布針２４ａの先端２５が外筒２４ｂの第１端２６より外筒２４ｂの内部に後退している第１状態を示す。図１５は、塗布針２４ａの先端２５が第１状態より外筒２４ｂの第１端２６側に移動した第２状態を示す。
【００７１】
図１４および図１５に示した塗布部材および塗布針ホルダの第２の変形例は、基本的には図１〜図１０に示した塗布部材４および塗布針ホルダ２０と同様の構成を備えるが、外筒２４ｂの先端部の構成が、図１〜図１０に示した塗布部材および塗布針ホルダ２０と異なっている。すなわち、図１４および図１５に示した塗布部材４および塗布針ホルダ２０では、外筒２４ｂにおける第１端２６が形成された側の端部がテーパ形状を有するテーパ形状部２４ｄとなっている。テーパ形状部２４ｄは、外径が第１端２６から離れるにしたがって大きくなるようなテーパ形状を有している。また、テーパ形状部２４ｄは、厚さが外筒２４ｂの先端に向かうにつれて徐々に薄くなっている。また、テーパ形状部２４ｄは、外筒２４ｂの延在方向に対して傾斜するように延びる表面を有する。
【００７２】
このようにすれば、図１０（Ｂ）に示すように塗布針２４ａの先端２５に液滴７１を形成するときに、図１０（Ｂ）に示すような球形に近い形状の液滴７１を形成しやすくなる。
【００７３】
＜第３の変形例の構成および作用効果＞
図１６および図１７は、本実施形態に従った塗布部材および塗布針ホルダの第３の変形例を説明するための模式図である。図１６は塗布針２４ａの先端２５が外筒２４ｂの第１端２６より外筒２４ｂの内部に後退している第１状態を示す。図１７は、塗布針２４ａの先端２５が第１状態より外筒２４ｂの第１端２６側に移動した第２状態を示す。
【００７４】
図１６および図１７に示した塗布部材および塗布針ホルダの第２の変形例は、基本的には図１４および図１５に示した塗布部材４および塗布針ホルダ２０と同様の構成を備えるが、外筒２４ｂの先端部の構成が、図１４および図１５に示した塗布部材および塗布針ホルダ２０と異なっている。すなわち、図１６および図１７に示した塗布部材４および塗布針ホルダ２０では、外筒２４ｂの先端部におけるテーパ形状部２４ｄの表面に撥液処理部２４ｃが形成されている。撥液処理部２４ｃは、テーパ形状部２４ｄから、当該テーパ形状部２４ｄに連なる外筒２４ｂの側面上にまで延在している。なお、撥液処理部２４ｃはテーパ形状部２４ｄのみに形成してもよい。この場合、図１４および図１５に示した塗布部材４および塗布針ホルダ２０による効果に加えて、図１３に示した塗布部材４および塗布針ホルダ２０による効果も同時に奏することができる。
【００７５】
以上のように本発明の実施の形態について説明を行ったが、上述の実施の形態を様々に変形することも可能である。また、本発明の範囲は上述の実施の形態に限定されるものではない。本発明の範囲は、特許請求の範囲によって示され、特許請求の範囲と均等の意味および範囲内でのすべての変更を含むことが意図される。
【符号の説明】
【００７６】
１  Ｘ軸テーブル、２  Ｙ軸テーブル、３  Ｚ軸テーブル、４  塗布部材、５  処理対象材、６  観察光学系、７  カメラ、８  操作パネル、９  モニタ、１０  制御用コンピュータ、２０  塗布針ホルダ、２０ａ  ホルダ外殻、２０ｂ  塗布針ホルダ側電極、２０ｃ  塗布針支持板、２０ｄ  電磁ソレノイド、２０ｅ  可動軸、２０ｆ  可動板、２０ｇ，５０  バネ、２１  容器、２４  塗布針部、２４ａ，１２４  塗布針、２４ｂ  外筒、２４ｃ  撥液処理部、２４ｄ  テーパ形状部、２５  先端、２６  第１端、２７  外周側面部分、４０  第２駆動部、４１  サーボモータ、４３  カム、４４  軸受、４５  カム連結板、４６  可動部、４６ａ  可動部側電極、４８  塗布針ホルダ収納部、５５  下降対象材、７０，７０ａ，７１ａ，７２，７５  液体材料、７１  液滴、７７  混合液体材料、８０  第１駆動部。
【図１】
2020015016.tif 000003
【図２】
2020015016.tif 000004
【図３】
2020015016.tif 000005
【図４】
2020015016.tif 000006
【図５】
2020015016.tif 000007
【図６】
2020015016.tif 000008
【図７】
2020015016.tif 000009
【図８】
2020015016.tif 000010
【図９】
2020015016.tif 000011
【図１０】
2020015016.tif 000012
【図１１】
2020015016.tif 000013
【図１２】
2020015016.tif 000014
【図１３】
2020015016.tif 000015
【図１４】
2020015016.tif 000016
【図１５】
2020015016.tif 000017
【図１６】
2020015016.tif 000018
【図１７】
2020015016.tif 000019